(57)【要約】      （修正有）【課題】強力な締付け力を必要とする並目ねじのボルトに予め溝加工又は穿孔等を施すことなく、特殊な構造の締付ナットと緩み止ナットでボルトの雄ねじに締付け、喰い込ませて確実なナットの緩み止めを行う。【解決手段】ボルトに締め込むナットの緩み止めの構造において、締付ナット３の上部に円錐台部７を設け、この周面８より内方に貫通したピン用孔１０に円筒形ピン１１が圧入され、この締付ナット３がねじ込まれた上より緩み止ナット１５を重ねてねじ込むことにより、円筒形ピンが緩み止ナットの円錐形穴１６の内周傾斜面によりボルトに向けて押出され、円筒形ピンの喰込用櫛歯１３がボルトの雄ねじ２の山頂に喰込むことにより、締付ナットの回転を阻止するようにした締付ナットの緩み止めの構造。【選択図】図１
2017120118.tif 000002
【特許請求の範囲】
【請求項１】
ボルトに締め込むナットの緩み止めの構造において、締付ナット（３）の肩部上面（５）に円錐台部（７）を設け、この円錐台部周面（８）より内方に貫通したピン用孔（１０）に円筒形ピン（１１）が圧入され、この締付ナット（３）がねじ込まれた上より緩み止ナット（１５）を重ねてねじ込むことにより、円筒形ピンが緩み止ナットの円錐形穴（１６）の内周傾斜面によりボルトに向けて押出され、円筒形ピンの内側端面の数本の喰込用櫛歯（１３）がボルトの雄ねじ（２）の山頂に直交して食込むことにより、締付ナットの回転を阻止するようにしたボルトに締め込むナットの緩み止めの構造。
【請求項２】
請求項１に記載のボルトに締め込むナットの緩み止めの構造において、締付ナット（３）に重ねてねじ込んだ緩み止ナットが戻り回転することを防ぐために、緩み止ナットの鍔（１７）の外周面に穿孔された小孔（１８）に、楕円形先端をもつ棒状工具（２０）を打ち込むことにより、小孔の下側肉部（１９）を押し下げて締付ナット（３）の肩部上面（５）に刻まれた喰込用円周歯（６）に喰込ませることにより締付ナットに対し、緩み止ナットを回転不能に結合するようにしたボルトに締め込むナットの緩み止めの構造。
【発明の詳細な説明】
【技術分野】
【０００１】  本発明は強い締付け力を必要とする並目ねじボルトに締め込んだナットの緩み止めを行う方法である。
【背景技術】
【０００２】  緩み止めのためボルトにナットを固定する方法としては、ナットとボルトを貫通する共孔を開けここに割ピンを押込んで固定する方法があるが、この穿孔は現地で行うこともあり面倒であり、又一度ねじ戻しの後、再びナットを締めこむときは合致しない欠点があり、又ころがり軸受を押え込む時に使用するナットは細目ねじであり、大きな荷重には耐えきれず、しかも軸には溝加工を必要とし、又座金の舌の折込み箇所も限られている、そのためこの方法を並目ねじボルトに用いることは不適である、又ねじ面の摩擦力を高めるためのダブルナット式の緩み止めナットもあるが、この効果は不明である。
【発明の開示】
【発明が解決しようとする課題】
【０００３】  本発明は強力な締付け力を必要とする並目ねじのボルトに予め溝加工又は穿孔を施すことなく、特殊な構造の締付ナットの円筒形ピンを緩み止ナットによりボルトの雄ねじの山に喰い込ませて、確実にナットの緩み止めを行う、その上緩み止ナットの下端を締付ナットの肩部上面に結合させる。
【課題を解決するための手段】
【０００４】  締付ナット３の肩部上面５に円錐台部７を設け、この円錐台部周面８より内方に貫通したピン用孔１０に円筒形ピン１１が圧入され、この締付ナット３がねじ込まれた上より緩み止ナット１５を重ねてねじ込むことにより、円筒形ピンが緩み止ナットの円錐形穴１６の内周傾斜面によりボルトに向けて押出され、円筒形ピンの内側端面の数本の喰込用櫛歯１３がボルトの雄ねじ２の山頂に直交して食込むことにより、締付ナットの回転を阻止するようにする。【０００５】  又締付ナット３に重ねてねじ込んだ緩み止ナットが戻り回転することを防ぐために、緩み止ナットの鍔１７の外周面に穿孔された小孔１８に、楕円形先端をもつ棒状工具２０を打ち込むことにより、小孔の下側肉部１９を押し下げて締付ナット３の肩部上面５に刻まれた喰込用円周歯６に喰込ませることにより締付ナットに対し、緩み止ナットを回転不能に結合するようにする。
【発明の効果】
【０００６】  本発明の実施により並目ねじボルトにナットを強く締め込んだ後、確実な緩み止めが可能になり、鉄道車両等振動の激しいナットの脱落を防止しうるようになる。
【図面の簡単な説明】
【０００７】
【図１】本発明の実施形態の一例として、ボルトに締付用ナットと緩み止用ナットを締め込んだ状態の縦断面図
【図２】図１の平面図
【図３】図１のＡ‐Ａ断面図
【図４】図１、図２及び図３に組込まれている円筒形ピンの正面図
【図５】図４の左側面図
【図６】図４の右側面図
【図７】本発明の実施時に使用する棒状工具の正面図
【図８】図７の左側面図
【発明を実施するための形態】
【０００８】  締付ナット３の肩部上面５に円錐台部７を設け、この円錐台部周面８より内方に向い１〜２本のピン用孔１０を貫通し、そしてここに図４、図５及び図６に示したような２本の円筒形ピン１１を円錐台部の相向う２ケ所のピン用孔１０にやや強く圧入する、この円筒形ピンの内側端面には焼入硬化した数本の喰込用櫛歯１３が設けられ、又その外側端面１２の傾斜角度は円錐台部７の傾斜と同一にしている、この円筒形ピン１１を円錐台部の相向う２ケ所のピン用孔１０に差し込んだとき、この両円筒ピンの内側端面の櫛歯１３をボルトの雄ねじ２の山頂に密接させ、そしてその２本の円筒ピンの外側端面１２を円錐台部の外周面８より僅かに突出させておくことにより、締付ナットに重ねて緩み止ナット１をボルトにねじ込んでいくと、円筒形ピンの外周面は緩み止ナットの円錐形穴１６の内面に押されて、先程突出させておいた寸法だけ内側端面の櫛歯１３はボルトの雄ねじ２の山頂に食込むことになって、締付ナットの回転が阻止されるようになる、この食込み代はあまり大きくする必要がなく緩み止ナットを戻した後、締付ナットを戻すときの障害の恐れはない、又ボルトの強度を低下させる恐れはない。
【０００９】  円筒形ピン１１の外周面には縦溝１４が設けられており、この縦溝を円錐台部の上面９に向うようにピン用孔１０に挿入した後、円錐台部の上面を平タガネ形の工具により打撃して、その上面の肉部を押し下げて円筒形ピンの縦溝１４に喰い込ませることにより、円筒形ピンの喰込用櫛歯はボルトの雄ねじ２の山頂に直交の位置に保ち、且締付ナットの締込み作業中、円筒形ピンの脱落を防止することができる。
【００１０】  締付ナット３に重ねてねじ込んだ緩み止ナットが戻り回転することを防ぐために、緩み止ナットの鍔１７の外周面に穿孔された小孔（１８）に、楕円形先端をもつ棒状工具（２０）を打ち込むことにより、小孔の下側肉部（１９）を押し下げて締付ナット（３）の肩部上面（５）に刻まれた喰込用円周歯（６）に喰込ませることにより締付ナットに対し、緩み止ナットを回転不能に結合することができる、これにより激しい振動によっても緩み止ナットは戻ることはなく、従って締付ナットの円筒形ピンの喰込みは緩むことがないので、完全な締付ナットの緩み止めを実現できる、そして激しい振動に対しても長時間耐えることが可能になり、又油に浸されても緩むことはない。
【符号の説明】
【００１１】１・・・ボルト                              ２・・・ボルトの雄ねじ
３・・・締付ナット                          ４・・・締付ナットの雌ねじ
５・・・締付ナットの肩部上面                ６・・・肩部上面の喰込用円周歯
７・・・締付ナットの円錐台部                ８・・・円錐台部の外周面
９・・・円錐台部の上面                      １０・・・円錐台部の円筒形ピン用孔
１１・・・円筒形ピン                        １２・・・円筒形ピンの外側端面
１３・・・円筒形ピンの内側端面の喰込用櫛歯  １４・・・円筒形ピン外周面の縦溝
１５・・・緩み止ナット                      １６・・・緩み止ナットの円錐形穴
１７・・・緩み止ナットの鍔部                １８・・・鍔部の外周面の小孔
１９・・・小孔の下側の肉部                  ２０・・・棒状工具
２１・・・上部材                            ２２・・・上部材のボルト孔
２３・・・下部材
【図１】
2017120118.tif 000003
【図２】
2017120118.tif 000004
【図３】
2017120118.tif 000005
【図４】
2017120118.tif 000006
【図５】
2017120118.tif 000007
【図６】
2017120118.tif 000008
【図７】
2017120118.tif 000009
【図８】
2017120118.tif 000010